(57)【要約】【課題】給水圧の急上昇があっても挿入部内の副送水管路が水撃によって破損するおそれのない、耐久性の優れた内視鏡の副送水装置を提供すること。【解決手段】加圧水供給装置４０の給水圧が急激に上昇した時にその水圧の急激な上昇を吸収するための水撃アブソーバ５０が、加圧水供給装置４０と副送水管路１０との間の領域に配置され、水撃アブソーバ５０は、上流側の水圧上昇を受けて下流側にスライドするように水路内に可動に配置された受圧部材５４と、受圧部材５４が下流側に移動したときに受圧部材５４に対し弾力的反発力を作用させるスプリング５６とを備えている。【選択図】      図１
2010207362.tif 000002
【特許請求の範囲】
【請求項１】
内視鏡の挿入部の先端に出口が開口するように上記挿入部内に挿通配置された副送水管路の入口に、上記内視鏡外に配置された加圧水供給装置の加圧水供給管が接続された構成を有する内視鏡の副送水装置において、
上記加圧水供給装置の給水圧が急激に上昇した時にその水圧の急激な上昇を吸収するための水撃アブソーバが、上記加圧水供給装置と上記副送水管路との間の領域に配置され、
上記水撃アブソーバは、上流側の水圧上昇を受けて下流側にスライドするように水路内に可動に配置された受圧部材と、上記受圧部材が下流側に移動したときに上記受圧部材に対し弾力的反発力を作用させるスプリングとを備えていることを特徴とする内視鏡の副送水装置。
【請求項２】
上記受圧部材が上記水路内にスライド自在に配置されていて、上記水路中の水を通過させる通水孔が上記受圧部材に形成されている請求項１記載の内視鏡の副送水装置。
【請求項３】
上記受圧部材が、上記水路内に水の流れ方向にスライド自在に配置されている請求項２記載の内視鏡の副送水装置。
【請求項４】
上記水撃アブソーバが、上記加圧水供給管と上記副送水管路との接続部付近に設けられている請求項１ないし３のいずれかの項に記載の内視鏡の副送水装置。
【請求項５】
ビデオプロセッサに接続するためのコネクタ部が上記内視鏡に設けられていて、上記加圧水供給管と上記副送水管路との接続部が上記コネクタ部に設けられている請求項４記載の内視鏡の副送水装置。
【請求項６】
上記水撃アブソーバが、上記加圧水供給管の出口側部分に設けられている請求項４又は５記載の内視鏡の副送水装置。
【請求項７】
上記水撃アブソーバが、上記副送水管路の入口側部分に設けられている請求項４又は５記載の内視鏡の副送水装置。
【請求項８】
上記受圧部材が上記水路内で傾くのを抑制するための受圧部材傾斜抑制手段が設けられている請求項１ないし７のいずれかの項に記載の内視鏡の副送水装置。
【発明の詳細な説明】
【技術分野】
【０００１】
この発明は内視鏡の副送水装置に関する。
【背景技術】
【０００２】
内視鏡には一般に、観察窓の表面を洗浄するためのノズルに水を送る送水管路が挿入部内に設けられているが、消化管検査用の内視鏡では、体内粘膜の汚れを洗い流すための水を通すいわゆる副送水管路が挿入部内に併設されたものも少なくない。
【０００３】
副送水管路の入口にはその用途の性質上、高圧の加圧水供給装置が接続されるが、加圧水供給装置の制御の具合等によって、給水圧が瞬間的に急激に上昇する水撃が発生する場合がある。
【０００４】
しかし、人体への挿入性の上から径を極力細く形成しなければならない挿入部内に設けられている副送水管路等は、そのような水撃に常に耐え得るほど頑丈に構成する余裕がない場合が少なくない。
【０００５】
そこで、目的は相違するものの、加圧水供給装置と副送水管路との間に手動の流量調整手段を設けて、給水圧が高すぎる場合には水路の流路断面積を絞ることができるようにしたものがある（例えば、特許文献１）。
【先行技術文献】
【特許文献】
【０００６】
【特許文献１】特開２００４−３１３２５５
【発明の概要】
【発明が解決しようとする課題】
【０００７】
しかし、加圧水供給装置と副送水管路との間の水路に手動の流量調整手段が設けられた構成では、給水圧の変化に合わせて流量調整操作をいちいち行う必要があり、また、予測できない給水圧の瞬間的な急上昇等には全く対応できないので、副送水管路が水撃で破損するのを防止することができなかった。
【０００８】
本発明は、給水圧の急上昇があっても挿入部内の副送水管路が水撃によって破損するおそれのない、耐久性の優れた内視鏡の副送水装置を提供することを目的とする。
【課題を解決するための手段】
【０００９】
上記の目的を達成するため、本発明の内視鏡の副送水装置は、内視鏡の挿入部の先端に出口が開口するように挿入部内に挿通配置された副送水管路の入口に、内視鏡外に配置された加圧水供給装置の加圧水供給管が接続された構成を有する内視鏡の副送水装置において、加圧水供給装置の給水圧が急激に上昇した時にその水圧の急激な上昇を吸収するための水撃アブソーバが、加圧水供給装置と副送水管路との間の領域に配置され、水撃アブソーバは、上流側の水圧上昇を受けて下流側にスライドするように水路内に可動に配置された受圧部材と、受圧部材が下流側に移動したときに受圧部材に対し弾力的反発力を作用させるスプリングとを備えているものである。
【００１０】
なお、受圧部材が水路内にスライド自在に配置されていて、水路中の水を通過させる通水孔が受圧部材に形成されていてもよく、その場合、受圧部材が、水路内に水の流れ方向にスライド自在に配置されていてもよい。
【００１１】
また、水撃アブソーバが、加圧水供給管と副送水管路との接続部付近に設けられているとよく、ビデオプロセッサに接続するためのコネクタ部が内視鏡に設けられていて、加圧水供給管と副送水管路との接続部がコネクタ部に設けられていてもよい。
【００１２】
そして、水撃アブソーバが、加圧水供給管の出口側部分に設けられていてもよく、或いは、副送水管路の入口側部分に設けられていてもよい。また、受圧部材が水路内で傾くのを抑制するための受圧部材傾斜抑制手段が設けられていてもよい。
【発明の効果】
【００１３】
本発明によれば、加圧水供給装置の給水圧が急激に上昇した時にその水圧の急激な上昇を吸収するための水撃アブソーバが、加圧水供給装置と副送水管路との間の領域に配置されていることにより、給水圧の急上昇があっても挿入部内の副送水管路が水撃によって破損するおそれがなくて、優れた耐久性を有し、水撃アブソーバは、上流側の水圧上昇を受けて下流側にスライドするように水路内に可動に配置された受圧部材と、受圧部材が下流側に移動したときに受圧部材に対し弾力的反発力を作用させるスプリングとを備えた構造なので、シンプルな構成で確実に動作すると共に、アダプタとして着脱自在に設けるのも容易である。
【図面の簡単な説明】
【００１４】
【図１】本発明の第１の実施例に係る内視鏡の副送水装置の水撃アブソーバの側面断面図である。
【図２】本発明の第１の実施例に係る内視鏡の副送水装置の図１におけるII−II断面図である。
【図３】本発明の第１の実施例に係る内視鏡の副送水装置の図１におけるIII−III断面図である。
【図４】本発明の第１の実施例に係る内視鏡の副送水装置の水撃アブソーバに水撃が作用した状態の側面断面図である。
【図５】本発明の第１の実施例に係る内視鏡の管路構成の全体配管図である。
【図６】本発明の第２の実施例に係る内視鏡の管路構成の全体配管図である。
【図７】本発明の第２の実施例に係る内視鏡の副送水装置の水撃アブソーバの側面断面図である。
【図８】本発明の第１及び第２の実施例の変形例の断面図（図１におけるII−II断面図に相当する断面図）である。
【図９】本発明の第３の実施例に係る内視鏡の副送水装置の水撃アブソーバの側面断面図である。
【図１０】本発明の第３の実施例の受圧板の変形例の側面断面図である。
【図１１】本発明の第４の実施例に係る内視鏡の副送水装置の水撃アブソーバの側面断面図である。
【図１２】本発明の第５の実施例に係る内視鏡の副送水装置の水撃アブソーバの側面断面図である。
【図１３】本発明の第５の実施例の整流板の軸線に垂直な方向の断面図である。
【発明を実施するための形態】
【００１５】
以下、図面を参照して本発明の実施例を説明する。
図５は、内視鏡の送気、送水、吸引等の管路構成全体を示している。
人体内に挿入される挿入部１の基端は操作部２に連結されており、操作部２から延出する連結可撓管３の先端に取り付けられたコネクタ部４は、外部のビデオプロセッサ３０に着脱自在に接続される。
【００１６】
挿入部１の先端には、観察窓の表面に向けて送気ノズル６と送水ノズル７が配置されていて、挿入部１内に挿通配置された送気管路８と送水管路９の先端がノズル６，７に接続されている。
【００１７】
そのような送気管路８、送水管路９と並んで、副送水管路１０が挿入部１内に全長にわたって挿通配置されている。副送水管路１０の出口は、挿入部１の先端面において真っ直ぐ前方に向けて開口している。また、処置具挿通チャンネル１１が挿入部１内に挿通配置されている。１１ｉは処置具挿入口である。
【００１８】
操作部２には、送気、送水両管路８，９に連通する送気送水操作弁１３と、処置具挿通チャンネル１１に連通する吸引操作弁１４とが配置されている。そして、操作部２に設けられた送気送水操作弁１３とコネクタ部４に設けられた送気送水口金１６との間が、連結可撓管３内に挿通配置された給気管路１７及び給水管路１８を介して接続されている。また操作部２に設けられた吸引操作弁１４とコネクタ部４に設けられた吸引口金１９との間が、吸引管路２１を介して接続されている。
【００１９】
ビデオプロセッサ３０に付設された送水タンク３１から延出する二重チューブ３２の先端には、送気送水口金１６に着脱自在に接続される送気送水接続口金３３が取り付けられている。吸引口金１９には、図示されていない吸引装置の接続チューブが接続される。
【００２０】
副送水管路１０の基端は、コネクタ部４に配置された副送水注入口２２（副送水管路の入口）に接続されており、外部の加圧水供給装置４０と副送水注入口２２を接続することにより、挿入部１の先端に位置する副送水管路１０の出口開口から水を噴射させることができる。
【００２１】
副送水注入口２２に対する加圧水供給装置４０の接続は、加圧水供給装置４０から延出する加圧水供給管４１の先端に設けられた加圧水接続口金４２を副送水注入口２２に差し込むことにより、着脱自在に行うことができる。
【００２２】
ただし、この実施例では、加圧水供給装置４０の給水圧が瞬間的に急激に上昇した時にその水圧の急激な上昇を吸収するための水撃アブソーバ５０が、加圧水供給管４１と加圧水接続口金４２との間に介挿接続されている。
【００２３】
４３は、水撃アブソーバ５０と加圧水接続口金４２を接続する接続チューブであり、水撃アブソーバ５０は加圧水供給管４１と接続チューブ４３との間にアダプタとして着脱可能に取り付けられる。
【００２４】
図１は水撃アブソーバ５０を示しており、加圧水供給管４１が接続された筒状の上流側本体筒５１と、接続チューブ４３が接続された筒状の下流側本体筒５２とが螺合連結されて、その連結部がＯリング５３で水密にシールされている。そして、一つながりになった上流側本体筒５１内と下流側本体筒５２内が、加圧水供給管４１内と接続チューブ４３内を連通させる水路６０になっている。
【００２５】
水路６０内には、上流側からの水圧上昇を受けて下流側にスライドする受圧板５４（受圧部材）が、水の流れ方向にスライド自在に配置されている。この実施例の受圧板５４は下流側本体筒５２の内周面に緩く嵌合する円盤状に形成されていて、II−II断面を図示する図２にも示されるように、水路６０内の水を通過させる複数の通水孔５５が板面に垂直に貫通形成されている。
【００２６】
また、水路６０内には、受圧板５４が下流側に移動すると、その受圧板５４に対し弾力的反発力を作用させる引張コイルスプリング５６が、縮んだ状態で軸線位置に配置されている。
【００２７】
引張コイルスプリング５６の固定端側は、受圧板５４より上流側において上流側本体筒５１から水路６０内に径方向に差し渡された固定側フック取付部５７に係合し、引張コイルスプリング５６の可動端側は、受圧板５４に形成された可動側フック取付部５８に係合している。
【００２８】
そして、固定側フック取付部５７が水路６０を塞いでしまわないよう、その周囲には、III−III断面を図示する図３にも示されるように、加圧水供給管４１内から水路６０へ水を通過させる水路孔５９が形成されている。水路孔５９の総断面積は、受圧板５４に形成されている通水孔５５の総断面積より大きく形成されている。
【００２９】
このような構成により、加圧水供給管４１内から水路６０を通って接続チューブ４３へ流れる水の圧力が適度な定常状態（例えば５０ｋＰａ程度）にあるときは、図１に示されるように、受圧板５４は移動せず、引張コイルスプリング５６が縮んだ状態になっていて、水路６０内の水が受圧板５４の通水孔５５を通過して接続チューブ４３に送り出される。
【００３０】
そして、加圧水供給装置４０の給水圧が急激に上昇してその水圧の急激な上昇（例えば１００ｋＰａ以上の水圧）が加圧水供給管４１から水撃アブソーバ５０の水路６０に伝わると、図４に示されるように、その水圧の急上昇に押された受圧板５４が引張コイルスプリング５６の弾力的反発力に抗して水路６０内で下流側にスライドする。
【００３１】
その動作により、水撃のエネルギーのうちの相当部分が引張コイルスプリング５６で吸収され、下流の接続チューブ４３側（さらには副送水管路１０側）には大きな水撃が伝わらない。水路６０内の水は受圧板５４の通水孔５５を通って下流に送られ、瞬間的な水撃現象が終われば、受圧板５４は引張コイルスプリング５６の力で図１に示される元の位置に戻される。
【００３２】
このようにして、加圧水供給装置４０からの給水圧の急上昇があっても、水撃アブソーバ５０より下流側に位置する副送水管路１０が水撃によって破損するおそれがなく、優れた耐久性を得ることができる。なお、水撃アブソーバ５０の作動特性は、受圧板５４の通水孔５５の総面積と引張コイルスプリング５６のばね定数等を変えることで適宜に設定することができる。
【００３３】
図６は、本発明の第２の実施例に係る内視鏡の送気、送水、吸引等の管路構成全体を示しており、水撃アブソーバ５０を、コネクタ部４の副送水注入口２２側部分に設けたものである。その他の配置は第１の実施例と同じである。このように水撃アブソーバ５０は、加圧水供給装置４０と副送水管路１０との間に設けられていれば、コネクタ部４の内外どちら側にあってもよい。
【００３４】
図７は、第２の実施例に使用される水撃アブソーバ５０を示しており、水撃アブソーバ５０の下流側出口である下流側接続管６１が下流側本体筒５２から直角に側方に向かって突出配置されている点のみが、第１の実施例と相違する。
【００３５】
なお、第１、第２の実施例共に、受圧板５４が水圧と動作のバランスの乱れ等により水路６０内で傾いてかしいだ状態になり、その結果、下流側本体筒５２の内周部に食いついて動作不能になってしまう可能性がある。
【００３６】
そこで、上記各実施例では、図２に示されるように、複数の通水孔５５が受圧板５４の軸線から等距離に等間隔で同じ大きさに形成され、受圧板５４が水圧で傾くことのないように配慮されている。
【００３７】
ただし、図８に示されるように、通水孔５５を受圧板５４の外縁部に、軸線から等距離に等間隔で同じ大きさに形成することにより、受圧板５４の内周面に接する受圧板５４の面積が小さくなって、食いつきが発生し難くなる。
【００３８】
また、受圧板５４を、金属製の下流側本体筒５２とは異なる例えばポリアセタール等のような合成樹脂材で形成することでも、下流側本体筒５２の内周面に対する受圧板５４の食いつきが発生し難くなる。
【００３９】
また、図９に示される第３の実施例のように、下流側本体筒５２の内周面に接する短筒状のガイド部７１を受圧板５４の外縁部から前後両側（又は、図１０に示されるように片側）に延長形成して、受圧板５４が下流側本体筒５２内で傾くのを抑制してもよい。
【００４０】
或いは、図１１に示される第４の実施例のように、受圧板５４が軸線と平行方向にスライド自在に係合する係合溝７２を下流側本体筒５２の内周面に形成してもよい。この場合、係合溝７２と係合する突起を受圧板５４側に形成する。なお、係合溝７２を１８０°対称位置に一対設けると、受圧板５４の安定性がよい。
【００４１】
また、図１２に示される第５の実施例のように、水路６０内の水の流れを整流するための整流板７３を水路６０の上流位置に配置してもよい。図１３は、整流板７３の断面形状を例示している。なお、水路孔５９にこのような整流板機能を持たせてもよい。
【００４２】
このように、受圧板５４が水路６０内で傾くのを抑制するための受圧部材傾斜抑制手段（ガイド部７１、係合溝７２、整流板７３等）を設けることにより、受圧板５４が下流側本体筒５２の内周部に食いついて動作不能になる可能性を小さくすることができる。
【００４３】
なお、本発明は上記実施例に限定されるものではなく、例えば加圧水供給装置４０が手動で加圧水を送り出す装置等であっても差し支えない。また、引張コイルスプリング５６に代えて、圧縮コイルスプリングを受圧板５４の下流側に配置した構成等であっても差し支えない。
【符号の説明】
【００４４】
１  挿入部
４  コネクタ部
１０  副送水管路
２２  副送水注入口
４０  加圧水供給装置
４１  加圧水供給管
５０  水撃アブソーバ
５４  受圧板（受圧部材）
５５  通水孔
５６  引張コイルスプリング（スプリング）
６０  水路
７１  ガイド部（受圧部材傾斜抑制手段）
７２  係合溝（受圧部材傾斜抑制手段）
７３  整流板（受圧部材傾斜抑制手段）
【図１】
2010207362.tif 000003
【図２】
2010207362.tif 000004
【図３】
2010207362.tif 000005
【図４】
2010207362.tif 000006
【図５】
2010207362.tif 000007
【図６】
2010207362.tif 000008
【図７】
2010207362.tif 000009
【図８】
2010207362.tif 000010
【図９】
2010207362.tif 000011
【図１０】
2010207362.tif 000012
【図１１】
2010207362.tif 000013
【図１２】
2010207362.tif 000014
【図１３】
2010207362.tif 000015